(57)【要約】【課題】  用紙がカールした状態で排出部から排紙トレイ部に排出される場合においても、カールした用紙が排紙トレイ部において平らな状態に矯正されて、用紙が適切な状態で排紙トレイ部に積載されるようにする。【解決手段】  排出部３から用紙Ｓを排紙トレイ部４に排出させる排紙装置３０において、排出部３から排出された用紙Ｓと当接されて上下方向に揺動し、排紙トレイ部４に排出された用紙Ｓを押さえる押え部材３２として、用紙Ｓの排紙方向と交差する用紙Ｓの幅方向中央部を押さえる中央押え部材３２ａと、この中央押え部材３２ａの両側においてそれぞれ用紙Ｓの幅方向端部を押さえる端部押え部材３２ｂとを設け、中央押え部材３２ａの押え力よりも端部押え部材３２ｂの押え力を強くした。【選択図】  図２
2015174709.tif 000002
【特許請求の範囲】
【請求項１】
排出部から用紙を排紙トレイ部に排出させる排紙装置において、前記の排出部から排出された用紙と当接されて上下方向に揺動し、排紙トレイ部に排出された用紙を押さえる押え部材として、用紙の排紙方向と交差する用紙の幅方向中央部を押さえる中央押え部材と、この中央押え部材の両側においてそれぞれ用紙の幅方向端部を押さえる端部押え部材とを設け、前記の端部押え部材の押え力を中央押え部材の押え力よりも強くしたことを特徴とする排紙装置。
【請求項２】
請求項１に記載の排紙装置において、前記の中央押え部材の幅が前記の端部押え部材の幅よりも広くなっていることを特徴とする排紙装置。
【請求項３】
請求項１又は請求項２に記載の排紙装置において、中央押え部材の両側に設けられる前記の端部押え部材は、それぞれ用紙の幅に対応するように、用紙の幅方向に複数に分割して設けられていることを特徴とする排紙装置。
【請求項４】
請求項１〜請求項３の何れか１項に記載の排紙装置において、前記の中央押え部材と端部押え部材とはそれぞれ回転支点を中心に上下方向に回動可能に設けられ、回転支点から排紙方向に延出される前記の中央押え部材と端部押え部材との長さが同じであることを特徴とする排紙装置。
【請求項５】
請求項１〜請求項４の何れか１項に記載の排紙装置において、前記の端部押え部材に錘を取り付けて、端部押え部材の押え力を中央押え部材の押え力よりも強くしたことを特徴とする排紙装置。
【請求項６】
請求項１〜請求項４の何れか１項に記載の排紙装置において、前記の端部押え部材を付勢部材により排紙トレイ部に向けて付勢させて、端部押え部材の押え力を中央押え部材の押え力よりも強くしたことを特徴とする排紙装置。
【請求項７】
請求項１〜請求項６の何れか１項に記載の排紙装置において、前記の端部押え部材による押え力を調整する調整手段を設けたことを特徴とする排紙装置。
【請求項８】
トナー画像が形成された用紙を排紙装置によって排出部から排紙トレイ部に排出させる画像形成装置において、請求項１〜請求項７の何れか１項に記載の排紙装置を用いたことを特徴とする画像形成装置。
【発明の詳細な説明】
【技術分野】
【０００１】
本発明は、排出部から用紙を排紙トレイ部に排出させる排紙装置及びこのような排紙装置を用いた複写機、プリンター、ファクシミリ及びこれらの複合機からなる画像形成装置に関するものである。特に、排出部から用紙がカールした状態で排紙トレイ部に排出される場合においても、カールした用紙が排紙トレイ部において平らな状態に矯正されて、用紙が適切な状態で排紙トレイ部に積載されるようにした点に特徴を有するものである。
【背景技術】
【０００２】
複写機、プリンター、ファクシミリ及びこれらの複合機等の画像形成装置においては、一般に、排紙装置により、トナー画像が形成された用紙を排出部から順々に排紙トレイ部に排出させて、排出された用紙を排紙トレイ部に積載させるようにしている。
【０００３】
ここで、画像形成装置においては、定着装置によりトナー画像を用紙に加圧・加熱させて定着させる場合等において、用紙が用紙の送り方向と交差する方向、すなわち用紙の幅方向にカールすることがあった。
【０００４】
そして、このように用紙の幅方向にカールした用紙を前記のように排出部から順々に排紙トレイ部に排出させた場合、このようにカールした状態で排紙トレイ部に先に排出されている用紙に、排出部から排出される次の用紙が当たり、次の用紙が排紙トレイ部に排出されなくなって、用紙詰まりが生じたり、また、排紙トレイ部に先に排出されていた用紙が次の用紙に押されてずれてしまい、排紙トレイ部の上に用紙を適切に積載させることができなくなったりするという問題があった。
【０００５】
そして、従来においては、特許文献１に示されるように、排出部の下流側にガイド部材を設け、このガイド部材における排紙方向と直交する幅方向両側の端部ガイド部分を、排出部から排出される用紙の両端部分がこの幅方向両側の端部ガイド部分に沿って中央側に撓むように構成し、排出部から排出される用紙の両端部分を、この幅方向両側の端部ガイド部分に当接させるようにし、用紙の幅方向において凹状にカールした用紙の両端部分を、この両側の端部ガイド部分に沿って中央側に撓ませて、凹状にカールした用紙を矯正するようにしたものが提案されている。
【０００６】
ここで、画像形成装置において、前記のように用紙にトナー画像を形成する場合、定着装置の構成や、用紙を搬送させる搬送経路の構成、また用紙の種類や、温度や湿度等の環境条件により、用紙がカールする方向や量は一定しておらず、用紙が用紙の幅方向において凹状にカールされる他に、凸状にカールされる場合もある。
【０００７】
しかし、前記の特許文献１に示されるものは、凹状にカールした用紙の両端部分を、両側の端部ガイド部分に沿って中央側に撓ませるものであるため、前記のように用紙が凸状にカールしている場合、凸状になった用紙の中央部を押圧させて、凸状にカールした用紙を適切に矯正するということはできなかった。このため、用紙の幅方向において凸状にカールされた用紙の場合には、前記のように排紙トレイ部に排出されている先の用紙に次の用紙が当たり、次の用紙が排紙トレイ部に排出されなくなって、用紙詰まりが生じたり、排紙トレイ部に先に排出されていた用紙が次の用紙に押されてずれ、排紙トレイ部の上に用紙が適切に積載されなくなるという問題が依然として存在した。
【０００８】
また、特許文献２においては、排紙トレイ部に排出されて積載された用紙の満杯状態を検知するにあたり、排出部から排紙トレイ部に排出された用紙を上から押圧させる押え部材を設け、この押え部材による用紙の押圧力を幅の狭い用紙よりも幅の広い用紙の方が強くなるようにし、用紙の積載高さが高い部分に接触している押え部材と満杯検知部材との何れか一方で、用紙の満杯状態を検知するようにしたものが示されている。
【０００９】
しかし、この特許文献２のものは、凹状にカールされた用紙や凸状にカールされた用紙が排紙トレイ部に排出される場合に、このようにカールされた用紙を矯正するという目的のものではなく、前記のような問題を解決することはできないものであった。
【００１０】
また、特許文献３においては、回動可能な押えレバーや検知レバーにおける揺動部を、排紙トレイ部に排出された用紙に当接させて、カールした用紙を押さえるにあたり、押えレバーや検知レバーに設けられた両側の揺動部に錘を着脱可能に設け、揺動部に装着させる錘の重量や位置を変更させて、カールした用紙を押さえる押圧力を容易に調整できるようにしたものが示されている。
【００１１】
しかし、この特許文献３においては、押えレバーや検知レバーに設けられた両側の揺動部に錘を着脱可能に設け、これらの揺動部により、用紙の幅方向において凹状にカールされた用紙の両側の端部を押さえて、凹状にカールされた用紙を矯正することは示されているが、前記の特許文献１のものと同様に、凸状にカールした用紙を適切に矯正するということはできず、また用紙におけるカールの程度に応じて、押えレバーや検知レバーに設けられた両側の揺動部に装着させる錘の重量や位置を変更させるということも面倒であった。
【先行技術文献】
【特許文献】
【００１２】
【特許文献１】特開２００６−２４８７３８号公報
【特許文献２】特開２００５−９６９６４号公報
【特許文献３】特開２００４−１１５２５４号公報
【発明の概要】
【発明が解決しようとする課題】
【００１３】
本発明は、排出部から用紙を排紙トレイ部に排出させる排紙装置における前記のような問題を解決することを課題とするものである。
【００１４】
すなわち、本発明は、前記のような排紙装置において、排出部から用紙がカールした状態で排紙トレイ部に排出される場合においても、カールした用紙が排紙トレイ部において平らな状態に矯正されて、用紙が適切な状態で排紙トレイ部に積載されるようにすることを課題とするものである。
【課題を解決するための手段】
【００１５】
本発明に係る排紙装置においては、前記の課題を解決するため、排出部から用紙を排紙トレイ部に排出させる排紙装置において、前記の排出部から排出された用紙と当接されて上下方向に揺動し、排紙トレイ部に排出された用紙を押さえる押え部材として、用紙の排紙方向と交差する用紙の幅方向中央部を押さえる中央押え部材と、この中央押え部材の両側においてそれぞれ用紙の幅方向端部を押さえる端部押え部材とを設け、前記の中央押え部材の押え力よりも端部押え部材の押え力を強くした。
【００１６】
そして、この排紙装置において、用紙の幅方向に凹状にカールして幅方向両端部が浮き上がった状態で用紙が前記の排出部から排出される場合には、この用紙の浮き上がった両端部分が、中央押え部材よりも押え力が強くなった前記の両側の端部押え部材によって押さえられ、次の用紙が、先に排出された用紙の上に適切に導かれるようになると共に、この両側の端部押え部材により浮き上がった用紙の両端部分が強く押さえられて、凹状にカールした用紙が矯正されるようになる。また、用紙の幅方向に凸状にカールして中央部が浮き上がった状態で用紙が前記の排出部から排出される場合には、この用紙の浮き上がった中央部が前記の中央押え部材によって押さえられ、次の用紙が、先に排出された用紙の上に適切に導かれるようになると共に、浮き上がった用紙の中央部が、この中央押え部材によって押さえられると共に、排紙トレイ部に排出されて積載された用紙の自重によって押さえられ、凸状にカールした用紙が次第に矯正されるようになる。
【００１７】
ここで、前記の押え部材として、前記の中央押え部材の幅が前記の端部押え部材の幅よりも広くなったものを用いることができる。そして、このような押え部材を用いると、凸状にカールして中央部が浮き上がった用紙を幅広になった中央押え部材によって適切に押さえられるようになると共に、凹状にカールして幅方向両端部が浮き上がった用紙の両端部を前記の端部押え部材によって押さえた場合に、用紙の中央部が浮き上がるのが前記の中央押え部材によって適切に防止されるようになる。
【００１８】
また、前記のように押え部材として、中央押え部材の両側に用紙の幅方向端部を押さえる端部押え部材を設けるにあたっては、各種の大きさの用紙の幅に対応するように、前記の端部押え部材を用紙の幅方向に複数に分割して設けるようにすることができる。
【００１９】
また、前記の押え部材を、排出部から排出された用紙と当接されて上下方向に揺動するように設けるにあたっては、前記の中央押え部材と端部押え部材とを、それぞれ回転支点を中心に回動可能に設け、この回転支点から排紙方向に延出される前記の中央押え部材と端部押え部材との長さを同じにすることができる。そして、このように回転支点から排紙方向に延出される中央押え部材と端部押え部材との長さを同じにすると、前記のように用紙が用紙の幅方向に凹状にカールした場合や、用紙の幅方向に凸状にカールした場合のいずれの場合においても、前記の中央押え部材と端部押え部材とによって、用紙を同じようにして押さえることができるようになる。
【００２０】
また、前記のように中央押え部材の押え力よりも端部押え部材の押え力を強くするにあたっては、端部押え部材に錘を取り付けて、端部押え部材の押え力を中央押え部材の押え力よりも強くするようにし、或いは、端部押え部材を排紙トレイ部に向けて付勢する付勢部材を設け、この付勢部材によって端部押え部材の押え力を中央押え部材の押え力よりも強くすることができる。
【００２１】
また、前記の端部押え部材による押え力を調整する調整手段を設け、この調整手段により、端部押え部材によって用紙の端部を押さえる力を、カールした用紙の状態等に応じて変更させることができる。
【００２２】
また、本発明に係る画像形成装置においては、トナー画像が形成された用紙を排紙装置によって排紙トレイ部に排出させるにあたり、前記のような排紙装置を用いるようにした。
【発明の効果】
【００２３】
本発明に係る排紙装置においては、排出部から排出された用紙と当接されて上下方向に揺動し、排紙トレイ部に排出された用紙を押さえる押え部材として、用紙の排紙方向と交差する用紙の幅方向中央部を押さえる中央押え部材と、この中央押え部材の両側においてそれぞれ用紙の幅方向端部を押さえる端部押え部材とを設け、前記の中央押え部材の押え力よりも端部押え部材の押え力を強くしたため、用紙が用紙の幅方向に凹状にカールした状態や凸状にカールした状態で、排出部から排紙トレイ部に排出される場合においても、カールした用紙が中央押え部材と端部押え部材とによって適切に押さえられて、カールした用紙が排紙トレイ部において平らな状態に矯正され、用紙が適切な状態で排紙トレイ部に積載されるようになる。
【図面の簡単な説明】
【００２４】
【図１】本発明の実施形態に係る画像形成装置及び排紙装置を示し、用紙にトナー画像を形成し、トナー画像が形成された用紙を排紙装置により排出部から排紙トレイ部に排出させる状態を示した概略説明図である。
【図２】本発明の実施形態１に係る排紙装置において、排紙ローラーにより排出部から排紙トレイ部に排出される用紙を押え部材によって押さえる状態を示した概略斜視図である。
【図３】前記の実施形態１に係る排紙装置に使用する押え部材において、用紙の幅方向中央部を押さえる中央押え部材の両側に、それぞれ用紙の幅方向端部を押さえる端部押え部材を設けた状態を示した概略平面図である。
【図４】前記の実施形態１に係る排紙装置において、（Ａ）は用紙が幅方向に凹状にカールして用紙の幅方向両端部が浮き上がった状態を示した概略正面図、（Ｂ）は幅方向に凹状にカールした用紙が押え部材により押さえられて、排紙トレイ部の上において略平らに矯正される状態を示した概略説明図である。
【図５】前記の実施形態１に係る排紙装置において、（Ａ）は用紙が幅方向に凸状にカールして用紙の幅方向中央部が浮き上がった状態を示した概略正面図、（Ｂ）は幅方向に凸状にカールした用紙が押え部材により押さえられて、排紙トレイ部の上において略平らに矯正される状態を示した概略説明図である。
【図６】前記の実施形態１に係る排紙装置において、中央押え部材の両側に設ける端部押え部材を、各種の大きさの用紙の幅に対応するように、用紙の幅方向に複数に分割して設けた状態を示した概略平面図である。
【図７】本発明の実施形態２における排紙装置に使用する押え部材において、用紙の幅方向中央部を押さえる中央押え部材の両側に、それぞれ用紙の幅方向端部を押さえる端部押え部材を設けると共に、各端部押え部材を捩りコイルバネによって排紙トレイ部に向けて付勢させる状態を示した概略平面図である。
【図８】前記の実施形態２における排紙装置に使用する押え部材において、前記の端部押え部材を捩りコイルバネによって排紙トレイ部に向けて付勢させる状態を示した部分斜視図である。
【図９】前記の実施形態２における排紙装置に使用する押え部材において、中央押え部材の幅方向端部から側方に延出された一方の回転軸に、排紙トレイ部の上に積載された用紙の量を検出するためのアクチュエーターを取り付けると共に、このアクチュエーターの位置を検知する検知センサーを設けた状態を示した概略説明図である。
【図１０】前記の実施形態２における排紙装置において、排紙トレイ部の上に積載された用紙の量を検出する状態を示し、（Ａ）は排紙トレイ部の上に積載された用紙の量が少なく、アクチュエーターが検知センサーによって検知されない状態を示した部分概略説明図、（Ｂ）は排紙トレイ部の上に積載された用紙の量が所定量以上になって、アクチュエーターが検知センサーによって検知される状態を示した部分概略説明図である。
【図１１】前記の実施形態２における排紙装置において、端部押え部材を排紙トレイ部に向けて付勢する場合の変更例を示し、調整手段によって端部押え部材を排紙トレイ部に向けて付勢する力を調整する構成を示した部分概略説明図である。
【発明を実施するための形態】
【００２５】
次に、本発明の実施形態に係る排紙装置及びこのような排紙装置を用いる画像形成装置について、添付図面に基づいて具体的に説明する。なお、本発明に係る排紙装置及び画像形成装置は、下記の実施形態に示したものに限定されず、その要旨を変更しない範囲において適宜変更して実施できるものである。
【００２６】
この実施形態の画像形成装置１においては、図１に示すように、その内部に、黒色のトナーを用いて画像形成を行う黒色のイメージングユニット１０Ｋと、シアン色のトナーを用いて画像形成を行うシアン色のイメージングユニット１０Ｃと、マゼンタ色のトナーを用いて画像形成を行うマゼンタ色のイメージングユニット１０Ｍと、黄色のトナーを用いて画像形成を行う黄色のイメージングユニット１０Ｙとからなる４つのイメージングユニット１０Ｋ，１０Ｃ，１０Ｍ，１０Ｙを装着させている。
【００２７】
また、前記の各イメージングユニット１０Ｋ，１０Ｃ，１０Ｍ，１０Ｙにおいては、感光体１１と、この感光体１１の表面を帯電させる帯電装置１２と、帯電された感光体１１の表面に画像情報に応じた露光を行って感光体１１の表面に静電潜像を形成する潜像形成装置１３と、感光体１１の表面に形成された静電潜像にトナーを供給してトナー画像を形成する現像装置１４と、感光体１１の表面に形成されたトナー画像を後述する中間転写ベルト２１に転写させた後に、感光体１１の表面に残留するトナー等の残留物を除去する第１クリーニング装置１５を設けている。
【００２８】
そして、この画像形成装置１においては、前記の各イメージングカートリッジ１０Ｋ，１０Ｃ，１０Ｍ，１０Ｙにおいて、それぞれ感光体１１の表面を帯電装置１２によって帯電させ、このように帯電された各感光体１１の表面にそれぞれ潜像形成装置１３によって画像情報に応じた露光を行い、各感光体１１の表面にそれぞれ画像情報に応じた静電潜像を形成し、各感光体１１の表面に形成された静電潜像に、前記の各現像装置１４からそれぞれの色彩のトナーを供給して、各感光体１１の表面にそれぞれの色彩のトナー画像を形成するようにしている。
【００２９】
次いで、各イメージングユニット１０Ｋ，１０Ｃ，１０Ｍ，１０Ｙにおける各感光体１１の表面に形成された各色彩のトナー画像を、駆動ローラー２２ａと回転ローラー２２ｂに架け渡されて回転駆動される中間転写ベルト２１を介して対向する各一次転写ローラー２３の位置に導いて、各感光体１１の表面に形成された各色彩のトナー画像を、それぞれ一次転写ローラー２３により中間転写ベルト２１に順々に転写させて、この中間転写ベルト２１の上に各色彩のトナー画像を重畳させるようにしている。なお、前記のように各感光体１１の表面に形成されたトナー画像を中間転写ベルト２１に一次転写させた後、各感光体１１の表面に残留するトナー等の残留物を、それぞれ前記の第１クリーニング装置１５によって除去するようにしている。
【００３０】
そして、前記のように中間転写ベルト２１の上に重畳された各色彩のトナー画像を、二次転写ローラー２４と対向する位置に導くようにしている。
【００３１】
一方、この画像形成装置１内の底部に、用紙Ｓを積層させて収容させた給紙カセット２を設け、この給紙カセット２内に収容された用紙Ｓを押上板２ａにより押し上げ、押し上げられた用紙Ｓを、ピックアップローラー２５により給紙カセット２から引き出して、給紙ローラー２６ａと捌きローラー２６ｂとの間に導くようにしている。
【００３２】
そして、この給紙ローラー２６ａと捌きローラー２６ｂとの間を通して１枚の用紙Ｓを、一対のタイミングローラー２７間に導き、このタイミングローラー２７により、用紙Ｓを適当なタイミングで前記の中間転写ベルト２１と二次転写ローラー２４との間に導き、中間転写ベルト２１の上に形成された前記のトナー画像を、二次転写ローラー２４により用紙Ｓに転写させるようにしている。なお、用紙Ｓに転写されずに中間転写ベルト２１の上に残ったトナー等の残留物を、第２クリーニング装置２８によって中間転写ベルト２１から除去させるようにしている。
【００３３】
そして、前記のようにトナー画像が転写された用紙Ｓを定着装置２９に導き、この定着装置２９において、前記のトナー画像を用紙Ｓに定着させた後、トナー画像が定着された用紙Ｓを、排紙装置３０における一対の排紙ローラー３１により排出部３から排紙トレイ部４に排出させるようにすると共に、このように排出部３から排出される用紙Ｓと当接されて、上下方向に揺動する押え部材３２により、排紙トレイ部４に排出された用紙Ｓを押さえるようにしている。
【００３４】
次に、前記の排紙装置３０の実施形態について説明する。
【００３５】
（実施形態１）
実施形態１における排紙装置３０においては、図２及び図３に示すように、押え部材３２として、用紙Ｓの排紙方向と交差する用紙Ｓの幅方向中央部を押さえる中央押え部材３２ａと、この中央押え部材３２ａの両側においてそれぞれ用紙Ｓの幅方向端部を押さえる端部押え部材３２ｂとを、排紙ローラー３１の上方に設けられた支軸３２ｃを回転支点として上下方向に回動可能に設ける共に、前記の支軸３２ｃから排紙方向に延出される前記の中央押え部材３２ａと各端部押え部材３２ｂとの長さが同じになるようにしている。
【００３６】
ここで、中央押え部材３２ａと端部押え部材３２ｂとを、前記の支軸３２ｃを回転支点として上下方向に回動可能に設けるにあたっては、中央押え部材３２ａと端部押え部材３２ｂとをそれぞれ前記の支軸３２ｃに対して回動可能に取り付けるようにする他、中央押え部材３２ａを支軸３２ｃと一緒に回転するように取り付ける一方、両側の端部押え部材３２ｂをこの支軸３２ｃに対して回動可能に取り付けるようにすることもできる。
【００３７】
そして、この排紙装置３０においては、前記の中央押え部材３２ａの幅を、その両側における端部押え部材３２ｂの幅よりも大きくすると共に、両側における端部押え部材３２ｂにそれぞれ錘３２ｄを取り付け、端部押え部材３２ｂにより用紙Ｓの幅方向端部を押さえる押え力が、前記の中央押え部材３２ａにより用紙Ｓの幅方向中央部を押さえる押え力よりも強くなるようにしている。
【００３８】
ここで、図４（Ａ）に示すように、前記の排出部３から排出される用紙Ｓが幅方向に凹状にカールして幅方向両端部が浮き上がった状態で前記の排出部３から排出される場合には、図４（Ｂ）に示すように、この用紙Ｓの浮き上がった両端部分が、中央押え部材３２ａよりも押え力が強くなった前記の両側の端部押え部材３２ｂにより押さえられると共に、両端部が押さえられた用紙Ｓの中央部が浮き上がるのが前記の幅広になった中央押え部材３２ａによって適切に防止され、凹状にカールした用紙Ｓが排紙トレイ部４の上において略平らな状態に矯正されて、用紙Ｓが適切な状態で排紙トレイ部４の上に積載されるようになる。
【００３９】
また、図５（Ａ）に示すように、前記の排出部３から排出される用紙Ｓが幅方向に凸状にカールして幅方向中央部が浮き上がった状態で前記の排出部３から排出される場合には、図５（Ｂ）に示すように、この用紙Ｓの浮き上がった中央部が幅広になった中央押え部材３２ａによって押さえられると共に、中央部が押さえられた用紙Ｓの両端部が浮き上がるのが前記の端部押え部材３２ｂによって適切に防止され、凸状にカールした用紙Ｓが排紙トレイ部４の上において略平らな状態に矯正されて、用紙Ｓが適切な状態で排紙トレイ部４の上に積載されるようになる。
【００４０】
なお、この実施形態１における排紙装置３０においては、中央押え部材３２ａの両側にそれぞれ端部押え部材３２ｂを１つ設けるようにしただけであるが、図６に示すように、Ａ４サイズ、Ａ５サイズ等の各種の大きさの用紙Ｓの幅に対応するように、端部押え部材３２ｂを用紙Ｓの幅方向に複数に分割して設けるようにすることもできる。
【００４１】
（実施形態２）
実施形態２における排紙装置３０においては、図７〜図９に示すように、押え部材３２として、用紙Ｓの幅方向中央部を押さえる中央押え部材３２ａにおける用紙Ｓの幅方向両端部からそれぞれ回転軸３２ｅを側方に延出させ、各回転軸３２ｅに用紙Ｓの幅方向端部を押さえる端部押え部材３２ｂを上下方向に回動可能に取り付けたものを用いるようにしている。
【００４２】
そして、この排紙装置３０においても、前記の中央押え部材３２ａの幅を、その両側における端部押え部材３２ｂの幅よりも大きくすると共に、両側の端部押え部材３２ｂによって用紙Ｓの幅方向端部を押さえる押え力が、中央押え部材３２ａによって用紙Ｓの幅方向中央部を押さえる押え力よりも強くなるようにしている。
【００４３】
ここで、この排紙装置３０においては、両側の端部押え部材３２ｂによって用紙Ｓの幅方向端部を押さえる押え力を、中央押え部材３２ａによって用紙Ｓの幅方向中央部を押さえる押え力よりも強くするにあたっては、図７及び図８に示すように、付勢部材として捩りコイルバネ３２ｆを前記の回転軸３２ｅに巻き付けるようにし、この捩りコイルバネ３２ｆの一端を画像形成装置１内に設けられた係止部１ａに係止させると共に、この捩りコイルバネ３２ｆの他端を端部押え部材３２ｂに設けられた係止部３２ｇに係止させ、この捩りコイルバネ３２ｆによって端部押え部材３２ｂを排紙トレイ部４に向けて付勢させるようにしている。
【００４４】
このようにすると、用紙Ｓが幅方向に凹状にカールして幅方向両端部が浮き上がった状態や、用紙Ｓが幅方向に凸状にカールして幅方向中央部が浮き上がった状態の何れの状態で排出部３から排出される場合であっても、前記の実施形態１の排紙装置３０の場合と同様に、前記の中央押え部材３２ａや端部押え部材３２ｂによってカールした用紙Ｓが適切に押さえられて、カールした用紙Ｓが排紙トレイ部４の上において略平らな状態に矯正され、用紙Ｓが適切な状態で排紙トレイ部４の上に積載されるようになる。
【００４５】
また、この排紙装置３０においては、図９に示すように、中央押え部材３２ａにおける用紙Ｓの幅方向端部から側方に延出された一方の回転軸３２ｅに、排紙トレイ部４の上に積載された用紙Ｓの量を検出するアクチュエーター３３を取り付けると共に、このアクチュエーター３３の位置を検知する検知センサー３４を設けている。
【００４６】
そして、排紙トレイ部４の上に積載された用紙Ｓの量が少なく、前記の中央押え部材３２ａや端部押え部材３２ｂの先端が下方に回動された状態では、図１０（Ａ）に示すように、前記のアクチュエーター３３が前記の検知センサー３４よりも上方に回動された位置で維持されて、アクチュエーター３３が検知センサー３４によって検知されない。一方、排紙トレイ部４の上に積載された用紙Ｓの量が増加して、前記の中央押え部材３２ａや端部押え部材３２ｂの先端が上方に回動されると、これに伴って前記のアクチュエーター３３が下方に回動され、図１０（Ｂ）に示すように、排紙トレイ部４の上に積載された用紙Ｓの量が所定量以上になった場合には、アクチュエーター３３が前記の検知センサー３４によって検知されるようになる。そして、このようにアクチュエーター３３が検知センサー３４によって検知された場合には、排紙トレイ部４の上に積載された用紙Ｓが所定量以上になったことを、表示装置（図示せず）等に表示させるようにしている。
【００４７】
また、この実施形態２における排紙装置３０においては、端部押え部材３２ｂによって用紙Ｓの幅方向端部を押さえる押え力を強くするにあたり、前記のように付勢部材として捩りコイルバネ３２ｆを用いるようにしたが、端部押え部材３２ｂによって用紙Ｓの幅方向端部を押さえる押え力を強くする方法はこのようなものに限定されない。
【００４８】
例えば、図１１に示すように、付勢部材として引張りコイルバネ３２ｈを用い、この引張りコイルバネ３２ｈの一端を、前記の端部押え部材３２ｂに設けられた係止部３２ｇに係止させる一方、前記の端部押え部材３２ｂによる押え力を調整する調整手段３５として、回転装置３５ａによって回動されるアーム部材３５ｂに係止部３５ｃを設け、この係止部３５ｃに前記の引張りコイルバネ３２ｈの他端を係止させるようにすることができる。
【００４９】
このようにすると、前記の回転装置３５ａによってアーム部材３５ｂを端部押え部材３２ｂに近づける方向や離れる方向に回動させることにより、前記の引張りコイルバネ３２ｈによって端部押え部材３２ｂを引っ張る力を調整して、用紙Ｓの幅方向端部を押さえる端部押え部材３２ｂの押え力を調整することができるようになる。この結果、用紙Ｓの種類や環境条件の変化等により、用紙Ｓがカールする状態が変化しても、端部押え部材３２ｂによって用紙Ｓの幅方向端部を押さえる押え力を変更させて、カールした用紙Ｓを排紙トレイ部４の上において適切に矯正することができるようになる。
【符号の説明】
【００５０】
１  画像形成装置、１ａ  係止部
２  給紙カセット、２ａ  押上板
３  排出部
４  排紙トレイ部
１０Ｋ，１０Ｃ，１０Ｍ，１０Ｙ  イメージングユニット
１１  感光体
１２  帯電装置
１３  潜像形成装置
１４  現像装置
１５  第１クリーニング装置
２１  中間転写ベルト
２２ａ  駆動ローラー、２２ｂ  回転ローラー
２３  一次転写ローラー
２４  二次転写ローラー
２５  ピックアップローラー
２６ａ  給紙ローラー、２６ｂ  捌きローラー
２７  タイミングローラー
２８  第２クリーニング装置
２９  定着装置
３０  排紙装置
３１  排紙ローラー
３２  押え部材、３２ａ  中央押え部材、３２ｂ  端部押え部材、３２ｃ  支軸、３２ｄ  錘、３２ｅ  回転軸、３２ｆ  捩りコイルバネ（付勢部材）、３２ｇ  係止部、３２ｈ  引張りコイルバネ（付勢部材）
３３  アクチュエーター
３４  検知センサー
３５  調整手段、３５ａ  回転装置、３５ｂ  アーム部材、３５ｃ  係止部
Ｓ  用紙
【図１】
2015174709.tif 000003
【図２】
2015174709.tif 000004
【図３】
2015174709.tif 000005
【図４】
2015174709.tif 000006
【図５】
2015174709.tif 000007
【図６】
2015174709.tif 000008
【図７】
2015174709.tif 000009
【図８】
2015174709.tif 000010
【図９】
2015174709.tif 000011
【図１０】
2015174709.tif 000012
【図１１】
2015174709.tif 000013